(57)【要約】【課題】仕切り板についての構造が複雑にならず、また、製造コストを安価に抑えることもできるようになる遊技機島及びその仕切り体を提供すること。【解決手段】遊技機島１には複数の遊技台３が左右方向に並設されており、遊技台３同士の間には仕切り板４が配設され、この仕切り板４は、支持枠１０と、支持枠１０で支持された面状部材１１とを含んで形成されており、面状部材１１は、物体が当ったときに撓み変形する可撓性材料で形成されている。【選択図】図１
2008109969.tif 000002
【特許請求の範囲】
【請求項１】
複数の遊技台が左右方向に並設され、前記遊技台同士の間に仕切り板が配設されている遊技機島において、前記仕切り板が、この仕切り板に物体が当ったときに撓み変形する可撓性を有していることを特徴とする遊技機島。
【請求項２】
請求項１に記載の遊技機島において、前記仕切り板は、支持枠と、この支持枠で支持される可撓性面状部材とを含んで形成され、前記支持枠は、共に上下方向の長さを有する少なくとも上下２個の止着具によって前記遊技機島を構成する部材に止着され、上側の前記止着具による止着位置と、下側の前記止着具による止着位置とが左右方向にずれていることを特徴とする遊技機島。
【請求項３】
請求項１又は２に記載の遊技機島において、前記仕切り板は、支持枠と、この支持枠で支持される可撓性面状部材とを含んで形成され、前記支持枠は前記可撓性面状部材の下部を支持する下枠部を有し、この下枠部の前後方向長さは、この下枠部の前端位置が、前記遊技台の下側においてこの遊技台の前面よりも前方へ突出して前記遊技機島に設けられている膳板の前端位置と同じ位置又はこの前端位置よりも後退した位置となっている長さになっており、少なくとも前記下枠部の配設位置における前記可撓性面状部材の前後方向長さは、この可撓性面状部材の前端位置が前記膳板の前端位置よりも前方へ突出する位置となる長さになっていることを特徴とする遊技機島。
【請求項４】
遊技機島に左右方向に並設されている遊技台同士の間に配設される遊技機島の仕切り板において、物体が当ったときに撓み変形する可撓性を有していることを特徴とする遊技機島の仕切り板。
【請求項５】
請求項４に記載の遊技機島の仕切り板において、支持枠と、この支持枠で支持される可撓性面状部材とを含んで形成され、前記支持枠は、共に上下方向の長さを有する少なくとも上下２個の止着具によって前記遊技機島を構成する部材に止着され、上側の前記止着具による止着位置と、下側の止着具による前記止着位置とが左右方向にずれていることを特徴とする遊技機島の仕切り板。
【請求項６】
請求項４又は５に記載の遊技機島の仕切り板において、支持枠と、この支持枠で支持される可撓性面状部材とを含んで形成され、前記支持枠は前記可撓性面状部材の下部を支持する下枠部を有し、この下枠部の前後方向長さは、この下枠部の前端位置が、前記遊技台の下側においてこの遊技台の前面よりも前方へ突出して前記遊技機島に設けられている膳板の前端位置と同じ位置又はこの前端位置よりも後退した位置となっている長さになっており、少なくとも前記下枠部の配設位置における前記可撓性面状部材の前後方向長さは、この可撓性面状部材の前端位置が前記膳板の前端位置よりも前方へ突出する位置となる長さになっていることを特徴とする遊技機島の仕切り板。
【発明の詳細な説明】
【技術分野】
【０００１】
本発明は、左右方向に複数の遊技台が並設される遊技機島及びその遊技機島の遊技台同士の間に配設される仕切り板に係り、例えば、パチンコやスロットマシン等の遊技に関するものに利用できる。
【背景技術】
【０００２】
パチンコ台やスロットマシン等の遊技台は、遊技店の店内に設置される遊技機島に左右方向に複数並設され、この遊技機島には、遊技者が遊技に集中できるようにするためや、煙草の煙が他の遊技者に影響しないようにするなどの目的で、仕切り板が遊技台同士の間において配設されている。しかし、遊技者が遊技台を操作するために、それぞれの遊技台に対応して床に設置されている椅子に座ろうとしたときなどにおいて、仕切り板に遊技者の身体の一部が当ることがあり、また、椅子が回転椅子の場合には、回転させた椅子が仕切り板に当ることがあり、さらに、遊技店の店員が店内サービスを行おうとしたとき、仕切り板に店員が当ることがある。
【０００３】
このように仕切り板に物体が当るという問題を解決することができる従来技術として、下記の特許文献１と特許文献２が知られている。特許文献１では、仕切り板を遊技機島に回動自在に取り付け、回動によって仕切り板を出没させるようにしている。特許文献２では、仕切り板をケース内から引き出し可能とした複数個の板部材によって形成し、これらの板部材の前後方向へずれたスライドによって遊技者側へ突出した仕切り板を形成できるようにしている。
【特許文献１】特開平７−１８５１１２
【特許文献２】実用新案登録第３１０６０８７号
【発明の開示】
【発明が解決しようとする課題】
【０００４】
しかし、これらの従来技術によると、仕切り板についての構造が複雑になり、また、仕切り板の製造コストが高くなり、好ましくない。
【０００５】
本発明の目的は、仕切り板についての構造が複雑にならず、また、製造コストを安価に抑えることもできるようになる遊技機島及びその仕切り体を提供するところにある。
【課題を解決するための手段】
【０００６】
本発明に係る遊技機島は、複数の遊技台が左右方向に並設され、前記遊技台同士の間に仕切り板が配設されている遊技機島において、前記仕切り板が、この仕切り板に物体が当ったときに撓み変形する可撓性を有していることを特徴とするものである。
【０００７】
また、本発明に係る遊技機島の仕切り板は、遊技機島に左右方向に並設されている遊技台同士の間に配設される遊技機島の仕切り板において、物体が当ったときに撓み変形する可撓性を有していることを特徴とするものである。
【０００８】
本発明では、仕切り板は物体が当ったときに撓み変形する可撓性を有しているため、この物体の当りを撓み変形によって有効に吸収できるようになるとともに、仕切り板を可撓性を有する材料で形成すればよいため、仕切り板についての構造が複雑にならず、構造の簡単化を図ることができ、また、仕切り板の製造コストを安価に抑えることができる。
【０００９】
以上において、仕切り板は遊技機島を構成する部材に取り付けることができ、この取り付けのための構造は任意である。その一例は、仕切り板を、支持枠と、この支持枠で支持される可撓性面状部材とを含んで形成されたものとし、支持枠を、共に上下方向の長さを有する少なくとも上下２個の止着具によって遊技機島を構成する部材に止着し、上側の止着具による止着位置と、下側の止着具による止着位置とを左右方向にずらすことである。
【００１０】
これによると、上下の止着具を中心に仕切り板が回動してしまうことを防止して、仕切り板を遊技機島に取り付けることができる。
【００１１】
また、仕切り板自体の構成も任意である。その一例は、仕切り板全体を可撓性を有する材料で形成することである。また、他の例は、仕切り板を、支持枠と、この支持枠で支持される可撓性面状部材とを含んで形成することである。また、この例における仕切り板では、例えば、上記支持枠を可撓性面状部材の下部を支持する下枠部を有するものとし、この下枠部の前後方向長さを、この下枠部の前端位置が、遊技台の下側においてこの遊技台の前面よりも前方へ突出して遊技機島に設けられている膳板の前端位置と同じ位置又はこの前端位置よりも後退した位置となった長さにし、少なくとも下枠部の配設位置における可撓性面状部材の前後方向長さを、この可撓性面状部材の前端位置が膳板の前端位置よりも前方へ突出する位置となる長さにすることができる。
【００１２】
これによると、少なくとも下枠部の配設位置における可撓性面状部材の前後方向長さは、この可撓性面状部材の前端位置が膳板の前端位置よりも前方へ突出する位置となる長さになっているため、可撓性面状部材により、膳板の前端位置よりも前方へ突出した位置まで有効に仕切ることができる。また、下枠部の前後方向長さは、この下枠部の前端位置が膳板の前端位置と同じ位置又はこの前端位置よりも後退した位置となった長さになっているため、仕切り板のうち、遊技者等の物体が当りやすい部分となっている膳板の前端位置よりも前方へ突出した部分についての可撓性を、上記可撓性面状部材によって確保することができる。
【００１３】
本発明は、遊技者が座る椅子が用意されている場合には、この椅子が回転椅子である場合や、固定椅子である場合、さらに前後にスライド可能になっているスライド椅子等の各種形態の椅子になっている場合に適用可能であり、椅子が回転椅子である場合に、回転させた椅子が仕切り板に当ることがあっても、仕切り板は可撓性を有しているため、この当りを有効に吸収することができる。
【００１４】
本発明において、可撓性を有する仕切り板（仕切り板を、上述のように、支持枠と、この支持枠で支持される可撓性面状部材とを含んで形成する場合には、この可撓性面状部材）は、物体が当ったときに撓み変形する材料であれば、任意な材料で形成することができ、仕切り板（上記と同様の場合には、可撓性面状部材）を、例えば、カーテン状のものとする場合には、その材料は、木綿や絹等の天然繊維や、レーヨン等の化学繊維等でもよく、仕切り板を、例えば、パネル状のものとする場合には、その材料は、合成樹脂、天然ゴム、合成ゴム等でもよい。
【００１５】
また、仕切り板（上記と同様の場合には、可撓性面状部材）は、防犯のために透明性又は半透明性等の透光性を有するものとすることが好ましい。
【発明の効果】
【００１６】
本発明によると、仕切り板についての構造が複雑にならず、また、製造コストを安価に抑えることもできるという効果を得られる。
【発明を実施するための最良の形態】
【００１７】
以下に本発明を実施するための形態を図面に基づいて説明する。図１は本実施形態に係る遊技機島１を示す斜視図であり、図２は、後述する膳板を除く遊技機島１の平面図である。端部がつま板２となっている遊技機島１には、図１で示されているように、パチンコ台等の遊技台３が左右方向に複数並設され、これらの遊技台３同士の間には、仕切り板４と２種類の台間機５，６とが配設されている。台間機５は、遊技等に関する各種の情報を表示する情報表示装置であり、台間機６は、遊技台３がパチンコ台である場合には、玉貸機である。
【００１８】
また、遊技機島１には、遊技台３の下側において遊技台３の前面から前方へ突出する膳板７が設けられている。
【００１９】
さらに、遊技機島１の前方には、それぞれの遊技台３と対応して複数の椅子８が左右方向に配置され、これらの椅子８は、本実施形態では、遊技機島１が設置されている遊技店の床に立設された支柱８Ａと、この支柱８Ａに取り付けられた座部８Ｂと、この座部８Ｂと一体化されている背もたれ部８Ｃとからなり、座部８Ｂと背もたれ部８Ｃは、支柱８Ｂに対して回転自在である。このため、本実施形態の椅子８は回転椅子になっている。
【００２０】
図３には仕切り板４が示され、図４は、仕切り板４の分解斜視図である。仕切り板４は、支持枠１０と、この支持枠１０で支持される可撓性の面状部材１１と、この面状部材１１の上下部を支持枠１０に押えるための上下の押え部材１２，１３とを含んで形成されている。支持枠１０は、鉛直の側枠部１０Ａと、この側枠部１０Ａの上端から前方へ延びる上枠部１０Ｂと、側枠部１０Ａの下端から上枠部１０Ｂと平行に前方へ延びる下枠部１０Ｃとからなり、上枠部１０Ｂの前端１０Ｄと下枠部１０Ｃの前端１０Ｅとを繋ぐ枠部は存在しないため、支持枠１０はコ字形状となっている。
【００２１】
面状部材１１は、本実施形態では柔軟な合成樹脂やゴム等によって形成されており、このため、この面状部材１１は、物体が面状部材１１に当ったときに撓み変形する可撓性を有している。
【００２２】
金属製となっている支持枠１０の上枠部１０Ｂと下枠部１０Ｃには、図４で示されているねじ軸１４が溶接等で固着され、これらのねじ軸１４を面状部材１１の孔１１Ａと、金属製となっている上下の押え部材１２，１３の孔１２Ａ，１３Ａとに挿入し、これらの孔１１Ａ，１２Ａ，１３Ａから突出したねじ軸１４の先端にナット１５を螺合して締め付けることにより、面状部材１１の上下部は、押え部材１２，１３で押えられながら支持枠１０によって支持される。
【００２３】
図５は仕切り板４の側面図である。この図５で示されているように、前端１２Ｂが支持枠１０の上枠部１０Ｂの前端１０Ｄと一致している上側の押え部材１２は、上枠部１０Ｂよりも短い前後方向長さを有し、また、前端１３Ｂが支持枠１０の下枠部１０Ｃの前端１０Ｅと一致している下側の押え部材１３も、下枠部１０Ｃよりも短い前後方向長さを有している。このため、上下の押え部材１２，１３の後端１２Ｃ，１３Ｃは支持枠１０の側枠部１０Ａまで達せず、これらの後端１２Ｃ，１３Ｃは面状部材１１の後端１１Ｃの位置と一致している。
【００２４】
以上のように構成されている仕切り板４は、支持枠１０の側枠部１０Ａが図１で示されている遊技台３と台間機５との間の隙間２０（図６参照）に挿入され、図６で示されている側枠部１０Ａの背面部１０Ｆに取り付けられた上下のブラケット２１，２２と、上下方向の長さを有する上下２個のビス等の止着具２３，２４とにより、仕切り板４は、遊技機島１を構成している上下の部材２５，２６に止着されている。図６から分かるように、ブラケット２１，２２は、鉛直部２１Ａ，２２Ａと水平部２１Ｂ，２２ＢからなるＬ字形状であり、鉛直部２１Ａ，２２Ａは側枠部１０Ａの背面部１０Ｆに結合され、水平部２１Ｂ，２２Ｂの孔に挿入された止着具２３，２４が上記部材２５，２６にねじ込まれている。
【００２５】
これらの止着具２３，２４による仕切り板４の止着位置には、仕切り板４の厚さ方向、言い換えると左右方向のずれ量Ａがある。このため、上記隙間２０の大きさが、この隙間２０に挿入される支持枠１０の側枠部１０Ａの厚さよりも大きくても、止着具２３，２４を中心に仕切り板４が回動することは、上記ずれ量Ａによって防止されている。
【００２６】
また、上下２個のブラケット２１，２２のうち少なくても１個のブラケット、本実施形態では、上側のブラケット２１の鉛直部２１Ａには上下方向に長い長孔２７が形成され、この長孔２７に挿入されたビス等の止着具２８によってブラケット２１は支持部材１０に結合されている。このため、遊技機島１を構成している上下の部材２５，２６の間隔が支持枠１０の側枠部１０Ａの上下寸法よりも大きくても、支持枠１０に対するブラケット２１の上下方向位置を長孔２７によって調整することにより、ブラケット２１，２２と止着具２３，２４とによって仕切り板４を部材２５，２６に確実に取り付けことができるようになっている。
【００２７】
なお、以上の仕切り板４の取り付け作業は、遊技機島１に図１で説明した遊技台３や台間機５，６が組み込み設置される前に行われる。
【００２８】
また、図５から分かるように、支持枠１０の下枠部１０Ｃの前端１０Ｅの位置及び下側の押え部材１３の前端１３Ｂの位置は、支持枠１０の上枠部１０Ｂの前端１０Ｄの位置及び上側の押え部材１２の前端１２Ｂの位置よりも後退した位置になっているとともに、これらの前端１０Ｅ，１３Ｂの位置は、図１で説明した遊技機島１の膳板７の前端７Ａ（図５参照）の位置と同じか、この前端７Ａの位置よりも後退した位置となっている。言い換えると、この下枠部１０Ｃの前後方向長さ及び下側の押え部材１３の前後方向長さは、下枠部１０Ｃの前端１０Ｅの位置及び下側の押え部材１３の前端１３Ｂの位置が、膳板７の前端７Ａの位置と同じ位置又はこの前端７Ａの位置よりも後退した位置となる長さになっている。
【００２９】
そして、面状部材１１の前端１１Ｂの位置は、支持枠１０の上枠部１０Ｂの配設位置及び上側の押え部材１２の配設位置と対応する面状部材１１の上部では、上枠部１０Ｂの前端１０Ｄの位置及び上側の押え部材１２の前端１２Ｂの位置と一致しているが、これよりも下側では、面状部材１１の前端１１Ｂの位置は、支持枠１０の下枠部１０Ｃの配設位置及び下側の押え部材１３の配設位置と対応する面状部材１１の下部を含めて、下枠部１０Ｃの前端１０Ｅの位置及び下側の押え部材１３の前端１３Ｂの位置よりも前方へ突出した位置となっており、この突出位置は、膳板７の前端７Ａから前方へ突出した位置である。
【００３０】
すなわち、面状部材１１の前後方向長さは、面状部材１１の前端１１Ｂが、この前端１１Ｂの全体について膳板７の前端７Ａから前方へ突出する長さになっている。
【００３１】
以上説明した本実施形態によると、仕切り板４の主要部材となっていて、仕切り板４の大部分の面積を占めている面状部材１１は、柔軟性を有していて、物体が当ると撓み変形する可撓性を有しているため、遊技者が遊技台３で遊技するために椅子８に座るとき等において、この遊技者の身体の一部が面状部材１１に当っても、この当りを面状部材１１の撓み変形によって有効に吸収することができる。また、遊技台３の左右寸法が短くて仕切り板４同士の間隔が小さく、このため、図１及び図２で示されているように、遊技者が座ろうとする椅子８を回転させてこの椅子８の背もたれ部８Ｃが面状部材１１に当ることがあっても、この当りも面状部材１１の撓み変形によって有効に吸収することができ、さらに、遊技店の店員が店内サービスを行うときに面状部材１１に誤って当っても、この当りも面状部材１１の撓み変形によって有効に吸収することができる。
【００３２】
そして、特に本実施形態によると、仕切り板４を、可撓性を有する面状部材１１を主要部材として形成することにより、上記作用効果を得られるため、仕切り板４についての構造が複雑にならず、仕切り板４についての構造の簡単化を図ることができ、また、仕切り板４の製造コストを安価に抑えることができる。
【００３３】
また、仕切り板４には、遊技機島１に設けられている膳板７の前端７Ａから前方へ突出している部分があるため、仕切り板４によって遊技台３同士の間を有効に仕切ることができるとともに、仕切り板４のうち、膳板７の前端７Ａから前方へ突出している部分は、遊技者等の物体が特に当りやすい部分となっているが、前述の説明から明らかなように、支持枠１０の上枠部１０Ｂ及び上側の押え部材１３の配設位置となっている仕切り板４の上部を除き、膳板７の前端７Ａよりも前方へ突出している仕切り板４の部分は、可撓性を有して面状部材１１によって形成されているため、この部分への物体の当りを有効に吸収できる。
【００３４】
図７は、別実施形態に係る仕切り板３４を示す。この仕切り板３４では、前記実施形態の仕切り板４で用いられていた上下の押え部材１２，１３が省略され、支持枠１０に固着されているねじ軸１４にナット１５を螺合して締め付けることにより、面状部材１１の上下部はナット１５で押えられながら支持枠１０によって支持される。
【００３５】
この実施形態によると、上下の押え部材１２，１３を省略できるため、この省略により、仕切り板３４についての構造を一層簡単化でき、仕切り板３４の製造コストを一層安価にできるという効果を得られる。
【産業上の利用可能性】
【００３６】
本発明は、パチンコやスロットマシン等の遊技台が複数並設される遊技機島及び遊技台同士の間に配設される仕切り板に利用することができる。
【図面の簡単な説明】
【００３７】
【図１】本発明の一実施形態に係る遊技機島を示す斜視図である。
【図２】図１の遊技機島を膳板を除いて示した平面図である。
【図３】仕切り板を示す斜視図である。
【図４】仕切り板の分解斜視図である。
【図５】仕切り板の側面図である。
【図６】仕切り板の取り付け状態を示す図であって、仕切り板を形成している支持枠の背面から見た図である。
【図７】別実施形態に係る仕切り板を示す図４と同様の図である。
【符号の説明】
【００３８】
１  遊技機島
３  遊技台
４，３４  仕切り板
７  膳板
８  回転椅子
１０  支持枠
１０Ａ  側枠部
１０Ｂ  上枠部
１０Ｃ  下枠部
１１  可撓性面状部材
２１，２２  ブラケット
２３，２４  止着具
２５，２６  遊技機島を構成する部材
【図１】
2008109969.tif 000003
【図２】
2008109969.tif 000004
【図３】
2008109969.tif 000005
【図４】
2008109969.tif 000006
【図５】
2008109969.tif 000007
【図６】
2008109969.tif 000008
【図７】
2008109969.tif 000009